(57)【特許請求の範囲】
【請求項１】
装置本体と；
装置本体に配設されたバッテリーと；
照度を検出するセンサ部と；
照明をオフした場合に対応する第１の目標照度値の範囲と、照明をオンした場合に対応する第２の目標照度値の範囲とを記憶する記憶部と；
バッテリー駆動され、データ通信を行う無線通信部と；
センサ部により照度値が検出されると、この照度値が第１の目標照度値の範囲にあるか否かの検出、前記照度値が第２の目標照度値の範囲にあるか否かの検出を行い、照度値が第１の目標照度値の範囲になく且つ照度値が第２の目標照度値の範囲にない場合にのみ、検出された照度値に基づく制御データを無線通信部から送信する制御部と
を具備することを特徴とする照度制御装置。
【請求項２】
請求項１に記載の照度制御装置と；
照明負荷と；
照度制御装置の無線通信部と通信を行う無線通信部と、この無線通信部により受信された照度制御装置から送られたデータに基づき照明負荷に対する照明制御を行う照明制御部とを有する照明制御装置と；
を具備することを特徴とする照明システム。
【発明の詳細な説明】
【技術分野】
【０００１】
この発明は、無線により照度データなどの照明制御に用いるデータを送る照度制御装置及びこの照度制御装置を用いて構成される照明システムに関するものである。
【背景技術】
【０００２】
近年、オフィスなどにおいては、天井などに配置された照度センサにより照度値を検出し、この照度値が目標照度値となるように照明器具の調光制御を行って、昼光を利用した省エネルギー化を図る照明制御が行われている。このような構成による照明制御においては、天井に配置された照度センサが床面や机上面からの反射光を受けて照度検出を行うことになるため、床面や机上面の反射率によって検出する照度値が異なり、同じ目標照度値を用いて制御したにも拘らず、部屋によって異なる照度値による照明が行われることがあった。
【０００３】
これに対し、照度センサを具備した可搬型のリモコン装置により照度検出を行い、目標照度値に近付くように制御信号を照明器具の制御器へ送信し、適切な照度値となるように照明制御する照明システムが知られている（特許文献１参照）。このシステムに用いられる可搬型のリモコンは、机上等に置いて用いるものであるから、床面や机上面による反射光の影響を受けることなく、適切な照明制御が可能である。
【０００４】
しかしながら、上記リモコン装置は内蔵バッテリーにより動作するものであり、目標照度値とならない限り送信を行うことから電力消費が早く、所謂電池切れになりやすく、気が付かない間に照明制御が行われなくなっていることが多いという問題があった。
【特許文献１】特開平２−１８９８９２号公報
【発明の開示】
【発明が解決しようとする課題】
【０００５】
本発明は上記のような従来の照度制御装置における問題点を解決せんとしてなされたもので、その目的は、内蔵バッテリーにより動作するものであるにも拘らず、バッテリー寿命を長くすることができ、従来より長時間の照明制御動作が可能な照度制御装置を提供することである。
【課題を解決するための手段】
【０００６】
本発明に係る照度制御装置は、装置本体と；装置本体に配設されたバッテリーと；照度を検出するセンサ部と；照明をオフした場合に対応する第１の目標照度値の範囲と、照明をオンした場合に対応する第２の目標照度値の範囲とを記憶する記憶部と；バッテリー駆動され、データ通信を行う無線通信部と；センサ部により照度値が検出されると、この照度値が第１の目標照度値の範囲にあるか否かの検出、前記照度値が第２の目標照度値の範囲にあるか否かの検出を行い、照度値が第１の目標照度値の範囲になく且つ照度値が第２の目標照度値の範囲にない場合にのみ、検出された照度値に基づく制御データを無線通信部から送信する制御部とを具備することを特徴とする。
【０００７】
無線通信部は電波による通信や赤外線による通信などを行う。目標照度値は、一つの値或いは上限値と下限値が規定された所定の範囲を示す値であってもよい。検出された照度値に基づく制御データとは、検出された照度値、検出された照度値と目標照度値の差データや調光度の増減、又は値を指示するデータなどを許容する。記憶部に対する目標照度値の設定は、照度制御装置にディップスイッチなどを設けて設定しても良いし、照明制御コントローラなどから通信により送信して、設定するようにしても良い。通信により送信して、設定する場合には、無線通信部に受信機が含まれる。
バッテリーは、一次電池、二次電池を使用することができるが、電力を供給可能なものであればこれに限定されない。
【０００９】
本発明に係る照明システムは、請求項１または２に記載の照度制御装置と；照明負荷と；照度制御装置の無線通信部と通信を行う無線通信部と、この無線通信部により受信された照度制御装置から送られたデータに基づき照明負荷に対する照明制御を行う照明制御部とを有する照明制御装置と；を具備することを特徴とする。
【００１０】
照明制御装置は、照明負荷と別体であっても良いし、照明負荷と一体であっても良い。照明制御装置は、複数の照明負荷を制御するものを許容する。
【発明の効果】
【００１１】
本発明に係る照度制御装置は、センサ部により照度値が検出されると、この照度値が第１の目標照度値の範囲にあるか否かの検出、前記照度値が第２の目標照度値の範囲にあるか否かの検出を行い、照度値が第１の目標照度値の範囲になく且つ照度値が第２の目標照度値の範囲にない場合にのみ制御データを無線通信部から送信し、これ以外に送信しないので、所定の範囲に照度値があれば送信が行われることなく電力消費が抑制されてバッテリー寿命を長くすることができ、従来より長時間の照明制御動作が可能となる。
【００１３】
本発明に係る照明システムは、請求項１または２に記載の照度制御装置を備えているので、所定の範囲に照度値があれば送信が行われることなく電力消費が抑制されてバッテリー寿命を長くすることができ、従来より長時間の照明制御動作が可能となる。
【発明を実施するための最良の形態】
【００１４】
以下、添付図面を参照して本発明に係る照度制御装置及びこれを用いて構成した照明システムの実施例を説明する。図１には、照明システムの実施例の構成図を示す。照明システムは、照明制御装置１０に伝送線２０を介して照明器具３０、４０、５０及び壁スイッチ６０が接続された構成を有する。上記に加えて、照度制御装置７０が備えられている。照度制御装置７０は、ここでは照明器具３０の直下に配置されて照度制御の処理を行うものとする。この照明システムにおける照明器具の台数や照度制御装置の台数は、一例に過ぎない。例えば、照明器具４０、５０に対しても、照度制御装置７０と同様の照度制御装置が配置される。
【００１５】
照度制御装置７０は、装置本体内に、センサ部７１、バッテリーである電池７２、制御部７３、無線通信部７４、記憶部７５を備えている。センサ部７１は、照度を検出するセンサによって構成される。電池７２は、各部へ電力を供給する。無線通信部７４は、無線によりデータ通信を行うものである。記憶部７５は、目標照度値を記憶するものであり、ここでは図示しないディップスイッチにより目標照度値を例えばルクスにより設定される。目標照度値は、照明器具３０の電源がオンの場合に対応する値と、照明器具３０の電源がオフの場合に対応する値とが設定される。
【００１６】
制御部７３は、例えばマイクロコンピュータにより構成され、センサ部７１により検出された照度値と記憶部７５に記憶された目標照度値とを比較し、検出された照度値が目標照度値の所定範囲にない場合にのみ、検出された照度値のデータを無線通信部７４から送信するものである。
【００１７】
照明制御装置１０は、照明制御部１１、無線通信部１２、有線通信部１３を備えている。無線通信部１２は、照度制御装置７０の無線通信部７４と無線通信を行うものである。有線通信部１３は、伝送線２０を介して通信を行うものである。照明制御部１１は、例えばマイクコンピュータにより構成され、照度制御装置７０から送られたデータに基づき照明負荷に対する照明制御を行うものである。また、照明制御部１１は、壁スイッチ６０の操作に応じて照明制御データを受け取り、これに応じた照明器具へ制御信号を送って照明制御を行う。
【００１８】
照明器具３０、４０、５０は、同一の構成であるから、代表して照明器具３０の構成を示している。照明器具３０は、通信部３１と制御部３２と点灯回路３３と照明負荷３４とを備えている。制御部３２は通信部３１から伝送線２０を介して照明制御装置１０から送られる自装置宛の照明制御信号を受け取り、電力線３８を介して点灯回路３３が取り込んでいる電力を位相変調させるように制御して所定の電力が照明負荷３４に供給されるようにする。
【００１９】
以上の通りに構成された照明システムにおいて、照度制御装置７０の制御部７３は、図２に示されるフローチャートに対応するプログラムにより動作を行うので、これを説明する。ここでは、記憶部７５に、照明器具３０の電源がオフの場合の目標照度値として００ルクスからａａルクスまでの範囲が設定されており、照明器具３０の電源がオンの場合の目標照度値としてｂｂルクスが設定されており、所定範囲としてプラスマイナス５パーセントが設定されているものとする。これを図示すると、図３に示すようになる。
【００２０】
制御部７３は、動作をスタートさせると、センサ部７１から照度値を取り込み（Ｓ１１）、照明器具３０の電源がオフで照明器具３０が消灯の場合の目標照度値と比較する（Ｓ１２）。更に、電源がオフの場合の目標照度値範囲であるかを検出する（Ｓ１３）。即ち、図３に示した００ルクスからａａルクスまでの範囲Ａであるかを検出する。
【００２１】
取り込んだ照度値が００ルクスからａａルクスまでの範囲Ａでない場合には、この取り込んだ照度値と照明器具３０の電源がオンの場合の目標照度値から所定範囲とを比較し（Ｓ１４）、電源がオンの場合の目標照度値から所定範囲であるかを検出する（Ｓ１５）。即ち、ｂｂルクスからプラスマイナス５パーセントの照度値範囲（図３の範囲Ｂ）にあるかを検出する。
【００２２】
ｂｂルクスからプラスマイナス５パーセントの照度範囲に、上記取り込んだ照度値が入っていなければ、この取り込んだ照度値のデータを無線通信部７４から送信する（Ｓ１６）。この場合には、この照度制御装置７０の識別情報（ＩＤ）または割り当てられたアドレス或いは、制御すべき照明器具３０の識別情報（ＩＤ）または割り当てられたアドレスと共に照度値のデータを送信する。
【００２３】
この照度値のデータを受けた照明制御装置１０の照明制御部１１は、上記ＩＤ等により照明器具３０に関する目標照度値を取り出し、送られてきた照度値との差から例えばテーブルを用いて調光度を求め、有線通信部１３から照明器具３０の識別情報（ＩＤ）または割り当てられたアドレスと共に送信する。これに応じて、照明器具３０では、調光信号を受け取り、電力線３８を介して点灯回路３３が取り込んでいる電力を位相変調させるように制御して対応の電力が照明負荷３４に供給されるようにする。
【００２４】
一方、照度制御装置７０の制御部７３は、ステップＳ１６の送信の後、またステップＳ１３、Ｓ１５においてＹＥＳへ分岐した場合には、所定時間の経過を待って（Ｓ１７）、ステップＳ１１へ戻って処理を続ける。
【００２５】
以上の通り、本実施例では、目標照度値範囲（図３の範囲Ｂ）に検出照度値が入っていない場合にのみ送信が行われ、無線通信部７４における電力消費は、このときに限られるので、従来に比べて電力消費を抑えることができる。
【図面の簡単な説明】
【００２６】
【図１】本発明に係る照明システムの実施例を示す構成図。
【図２】本発明に係る照明システムの実施例に係る照度制御装置の動作を示すフローチャート。
【図３】本発明に係る照明システムの実施例に係る照度制御装置の動作に用いられる目標照度を説明するための図。
【符号の説明】
【００２７】
１０  照明制御装置
２０  伝送線
３０、４０、５０  照明器具
４０  照明器具
７０  照度制御装置
７１  センサ部
７２  電池
７３  制御部
７４  無線通信部
７５  記憶部
【図１】
0005262275.tif 000002
【図２】
0005262275.tif 000003
【図３】
0005262275.tif 000004